(57)【要約】【課題】一台の機械で木材と竹の両方が切断可能であり、移動が容易でどのような作業場所でも切断作業が可能な両用型木材割り機を提供すること。【解決手段】台座の一端に動力源が設けられ、台座の上に押しユニットが組付けられ、押しユニットは動力源により作用ロッドが駆動され、作用ロッドの前端には木材や竹などを押すための押え板が設けられ、台座の押しユニットの下には木材や竹などを受けるための受け台が設けられ、受け台の前端に木材摺動台が設けられ、木材摺動台の一部に木材や竹等を切削するための切削ユニットが組み付けてある。【選択図】図１
0003130469.tif 000002
【実用新案登録請求の範囲】
【請求項１】
台座の一端に動力源が設けてあり、
前記台座の上で押しユニットが組付けてあり、
前記押しユニットが前記動力源と連接し、前記動力源により押しユニットの作用ロッドが駆動され、
前記作用ロッドの前端には木材や竹などを推すための押え板が設けてあり、
前記台座の押しユニットの下には木材や竹などを受けるための受け台が設けてあり、
前記受け台の前端に木材摺動台が設けてあり、
前記木材摺動台の一部に、木材や竹などを切削するための切削ユニットが組付けてあることを特徴とする、
両用型木材割り機。
【請求項２】
前記木材を切削するための切削ユニットは楔形状を持つ刃具であることを特徴とする、請求項１に記載の両用型木材割り機。
【請求項３】
前記竹を切削するための切削ユニットは、放射状で等間隔に設置された複数のカッターで構成されることを特徴とする、請求項１に記載の両用型木材割り機。
【考案の詳細な説明】
【技術分野】
【０００１】
本考案は、両用型木材割り機に係り、特に、木材と竹とを切削するための切削ユニットが別々に設けてあり、木材や竹の両方の切削が可能な両用型木材割り機に関するものである。
【背景技術】
【０００２】
科学技術の進展に伴って、木材の代わりにガスが加熱の主な燃料源になっているが、寒帯に位置する一部の国々は依然として木材を主な燃料として使用している。
そして燃焼および貯蔵を便利にするために、木材を細い寸法に加工しているが、人間が木材を加工する際に一定の危険がある。
【０００３】
図６と図７には本考案の出願者が先に提案した木材割り機２を示す。
従来の木材割り機２は、主に、貯油タンク２１の前端にポンプ２２が組付けてある。
前記ポンプ２２の近傍にはオイルを洩らせるための取手２３が設けてあり、ポンプ２２の上にハンドル２４が設けてあり、前記貯油タンク２１の下に油圧シリンダー２５が組み付けてあり、油圧シリンダー２５がオイルパイプを介してポンプ２２と連接し、前記油圧シリンダー２５が台座２６の適当な箇所で設けられた係合部２６１の内部に嵌め設けられている。
そうすると、油圧シリンダー２５と、油圧シリンダー２５の上で組み付けられた部材とが台座２６の上で安定に固定されるようになっている。
油圧シリンダー２５の前端のピストンロッド２５２に押え板２５３が設けてあり、押え板２５３の下に欠け口２５４が凹設してあり、押え板２５３の作用側の適当な箇所では突起２５５が設けてある。
台座２６にある物置板２６２の両側には円弧形状を呈するストッパー２６３が設けてあり、物置板２６２の前端に筐体２７が設けてあり、筐体２７の外側の適当な箇所ではＶ字形を呈し刃部を持つ楔形状ブロック２７１が設けてあり、楔形状ブロック２７１の刃部は下部から上部へ徐々に外側に傾斜するようになっている。
また、筐体２７の内側に持上げハンドル２７２が設けてあり、台座２６の後端にローラ保持器２８が設けてあり、ローラ保持器２８の下端が前になるほど下へ下がっている。
また、ローラ保持器２８の両側の適当な箇所には弾性素子２９が固定してあり、弾性素子２９の他端が押え板２５３に固定され、ローラ保持器２８の内側にローラ２８１が回転自在に設けてある。
【０００４】
このような従来の木材割り機によれば、木材を割っている際の危険性が大幅に低減できて木材を割る作業工数も削減できるが、このような木材割り機は竹を割ることができない。そのため、竹を割っている際の危険性を大幅に低減できないだけでなく、竹を割る作業工数を削減することもできない。
【考案の開示】
【考案が解決しようとする課題】
【０００５】
本考案の主な目的は、一台の機械で以って木材と竹の両方を加工することが可能な両用型木材割り機を提供することにある。
【０００６】
本考案の次の目的は、動力源はモータとガソリンエンジンとを選択的に使用可能な両用型木材割り機を提供することにある。すなわち、遠い山の中ではガソリンエンジンを動力源として作業し、また、一般の場所ではモータを動力源として作業し、どのような作業場所でも作業可能な両用型木材割り機を提供することにある。
【０００７】
本考案の別の目的は、台座の底部にローラが回転自在に設けてあり、ユーザーが作業場所を変更しようとするときに、木材摺動台の末端を引き上げるだけで、容易に移動可能な両用型木材割り機を提供することにある。
【課題を解決するための手段】
【０００８】
上記目的を達成するためになされた本願の第１考案は、主に、台座の一端に動力源が設けてあり、前記台座の上で押しユニットが組付けてあり、前記押しユニットが前記動力源と連接し、前記動力源により押しユニットの作用ロッドが駆動され、前記作用ロッドの前端には木材や竹などを推すための押え板が設けてあり、前記台座の押しユニットの下には木材や竹などを受けるための受け台が設けてあり、前記受け台の前端に木材摺動台が設けてあり、前記木材摺動台の適当な箇所では、木材や竹などを切削するための切削ユニットが組付けてあることを特徴とする両用型木材割り機であることを要旨としている。
【０００９】
本願の第２考案は、前記木材を切削するための切削ユニットは楔形状を持つ刃具であることを特徴とする、前記第１考案に記載の両用型木材割り機であることを要旨としている。
【００１０】
本願の第３考案では、前記竹を切削するための切削ユニットは、放射状で等間隔に設置された複数のカッターで構成されることを特徴とする、前記第１考案に記載の両用型木材割り機であることを要旨としている。
【考案の効果】
【００１１】
本考案に係る両用型木材割り機によれば、次のような特有の効果を得ることができる。
（イ）一台の機械で木材と竹の両方を切断加工することが可能である。
【００１２】
（ロ）動力源はモータとガソリンエンジンとを選択的に使用可能である。すなわち、遠い山の中ではガソリンエンジンを動力源として作業し、また、一般の場所ではモータを動力源として作業し、どのような作業場所でも作業可能になる。
【００１３】
（ハ）台座の底部にローラが回転自在に設けてあり、ユーザーが作業場所を変更しようとするときに、木材摺動台の末端を引き上げるだけで、容易に移動可能になる。
【考案を実施するための最良の形態】
【００１４】
以下、添付図面を参照して本考案の好適な実施の形態を詳細に説明する。
【００１５】
まず、図１を参照する。
本考案に係る両用型木材割り機１は、主に、台座１１の一端に動力源１２が設けてある。前記動力源１２はモータである。
前記台座１１の上で押しユニット１３が組付けてある。
前記押しユニット１３は、油圧シリンダーでもよい。前記押しユニット１３は、前記動力源１２と連接していて、前記動力源１２により押しユニット１３の作用ロッド１３１が駆動される。
また、前記作用ロッド１３１の前端には木材や竹などを推すための押え板１３２が設けてある。
前記台座１１の押しユニット１３の下には木材や竹などを受けるための受け台１１１が設けてある。
前記受け台１１１の前端に木材摺動台１４が設けてある。
前記木材摺動台１４の適当な箇所では、木材や竹などを切削するための切削ユニット１５，１６が組付けてある。
前記木材を切削するための切削ユニット１５は楔形状を持つ刃具１５１である。
楔形状刃具１５の底側に締付穴１５２が開設してあり、締付具１５３により楔形状刃具１５が木材摺動台１４に脱着可能に固定される。
また、竹を切削するための切削ユニット１６は、図２に示すように、放射状で等間隔に設置された複数のカッター１６１で構成される。
カッター１６１は、内縁に竹の中空部に対応する貫通孔１６２が設けてあり、外縁にリング１６３が設けてあり、リング１６３の両側に嵌め具１６４が設けてある。
木材摺動台１４の末端に設けられた嵌めロッド１４１が嵌め具１６４に嵌合される。
また、台座１１の底部にローラ１７が回転自在に設けてある。
【００１６】
次に、本考案に係る両用型木材割り機１の使用状態を詳細に説明する。
図３に示すように、木材を割ろうとする場合には、まず、竹を割るための切削ユニット１６を取り出して、木材を台座１１の受け台１１１の上で載置する。
つぎに動力源１２をオンにして、動力源１２により押しユニット１３の作用ロッド１３１で木材を木材摺動台１４の方向へ押し出す。
木材が楔形状を呈する切削ユニット１５に当たると、図４に示すように、木材が割られるようになる。
木材の切断が完了した後は、動力源１２により押しユニット１３の作用ロッド１３１が元の位置に復帰して、次の切断作業のために待機する。
【００１７】
また、図５を参照する。
竹を割ろうとする場合には、まず、木材を割るための切削ユニット１５と木材摺動台１４とを締め付ける締付具１５３を緩めて切削ユニット１５を取り外して、竹を割るための切削ユニット１６の両側にある嵌め具１６４を木材摺動台１４の末端に設けられた嵌めロッド１４１に嵌合することにより、切削ユニット１６を木材摺動台１４に固定する。
その後、竹を台座１１の受け台１１１の上に載置して、動力源１２をオンにして、動力源１２により押しユニット１３の作用ロッド１３１で竹を木材摺動台１４の方向へ押し出す。
竹が放射状で等間隔に設置された複数のカッター１６１で構成される切削ユニット１６に当たると、竹は複数に割られる。
その後、動力源１２により押しユニット１３の作用ロッド１３１が元の位置に復帰して、次の切断作業のために待機する。
【００１８】
また、台座１１の底部にローラ１７が回転自在に設けてあるので、使用者が作業場所を変更しようとする場合には、使用者が木材摺動台１４の末端を引き上げるだけで、両用型木材割り機を容易に移動することが可能である。
【００１９】
特に、動力源１２はモータとガソリンエンジンとを選択的に使用可能であるから、遠い山の中などではガソリンエンジンを動力源として作業でき、また、一般の場所ではモータを動力源として作業できて、どのような作業場所でも切断作業が可能であり、本考案の両用型木材割り機の使用は極めて便利である。
【図面の簡単な説明】
【００２０】
【図１】本考案の分解斜視図１である。
【図２】本考案の分解斜視図２である。
【図３】本考案によって木材を割る使用状態を示す概略図１である。
【図４】本考案によって木材を割る使用状態を示す概略図２である。
【図５】本考案によって竹を割る使用状態を示す概略図である。
【図６】従来の木材割り機の斜視図である。
【図７】従来の木材割り機の使用状態を示す概略図である。
【符号の説明】
【００２１】
１        両用型木材割り機
１１      台座
１１１    受け台
１２      動力源
１３      押しユニット    
１３１    作用ロッド
１３２    押え板
１４      材料摺動台
１４１    嵌めロッド
１５      切削ユニット
１５１    楔形状刃具
１５２    締付穴
１５３    締付具
１６      切削ユニット
１６１    カッター
１６２    貫通孔
１６３    リング
１６４    嵌め具
１７      ローラ
２        木材割り機
２１      貯油タンク
２２      ポンプ
２３      取っ手
２４      ハンドル
２５      油圧シリンダー
２５１    オイルパイプ                  
２５２    ピストンロッド
２５３    押え板
２５４    欠け口
２５５    突起
２６      台座
２６１    係合部
２６２    物置板
２６３    ストッパー                    
２７      筐体
２７１    楔形状ブロック
２７２    持上げハンドル
２８      ローラ保持器                  
２８１    ローラ
２９      弾性素子
【図１】
0003130469.tif 000003
【図２】
0003130469.tif 000004
【図３】
0003130469.tif 000005
【図４】
0003130469.tif 000006
【図５】
0003130469.tif 000007
【図６】
0003130469.tif 000008
【図７】
0003130469.tif 000009